(57)【要約】【課題】デジタル伝送装置のロギングデータを読み出すリアルタイム性と詳細な監視を両立する。【解決手段】  ロギングデータを伝送信号と同じパケット形式とし、装置識別ヘッダーと時間情報とを付加し、本線信号中の冗長データと差し替えて伝送し、受信した本線信号中の前記置き換えられたロギングデータを抽出し、記憶し、前記抽出したロギングデータまたは前記記憶したロギングデータから装置識別ヘッダーと時間情報とを分離し、表示する。また、記憶しておいたロギングデータを送信指令により本線信号と差し替えて伝送する。また、ロギングデータをエラーが発生した本線信号中の冗長データと差し替えて伝送する。【選択図】図１
2011223379.tif 000002
【特許請求の範囲】
【請求項１】
本線信号をデジタル変調し送信する手段と、ロギングデータを伝送信号と同じパケット形式とする手段と、前記パケット形式とされたロギングデータに装置識別ヘッダーと時間情報とを付加する手段と、本線信号中の冗長データを前記付加されたロギングデータに置き換える手段とを有し、ロギングデータを伝送信号と同じパケット形式とし、装置識別ヘッダーと時間情報とを付加し、本線信号中の冗長データと差し替えて伝送することを特徴とするデジタル送信装置。
【請求項２】
本線信号を受信しデジタル復調する手段と、前記復調された本線信号中の前記置き換えられたロギングデータを抽出する手段と、前記抽出したロギングデータを記憶する手段と、前記抽出したロギングデータまたは前記記憶したロギングデータから装置識別ヘッダーと時間情報とを分離する手段と、前記分離したロギングデータと装置識別ヘッダーと時間情報とを表示する手段とを有し、受信した本線信号中の前記置き換えられたロギングデータを抽出し、記憶し、前記抽出したロギングデータまたは前記記憶したロギングデータから装置識別ヘッダーと時間情報とを分離し、表示することを特徴とするデジタル受信装置。
【請求項３】
本線信号をデジタル変調し送信し受信する手段と、ロギングデータ送信指令を受信する手段と、ロギングデータを伝送信号と同じパケット形式とする手段と、前記パケット形式とされたロギングデータに装置識別ヘッダーと時間情報とを付加する手段と、前記付加されたロギングデータを記憶しておく手段と、送信指令により本線信号中のデータを前記記憶しておいたロギングデータに置き換える手段を有し、ロギングデータを伝送信号と同じパケット形式とし、装置識別ヘッダーと時間情報とを付加し、記憶しておき、送信指令により本線信号中と差し替えて伝送することを特徴とするデジタル送信装置。
【請求項４】
本発明のデジタル伝送装置は、本線信号をデジタル変調し送信し受信する手段と、ロギングデータを伝送信号と同じパケット形式とする手段と、前記パケット形式とされたロギングデータに装置識別ヘッダーを付加する手段と、エラーが発生した本線信号中の冗長データを前記付加されたロギングデータに置き換える手段を有し、ロギングデータを伝送信号と同じパケット形式とし、装置識別ヘッダーと時間情報とを付加し、エラーが発生した本線信号中の冗長データと差し替えて伝送することを特徴とするデジタル送信装置。
【請求項５】
本線信号をデジタル変調し送信する手段と、本線信号を受信しデジタル復調する手段と、ロギングデータを伝送信号と同じパケット形式とする手段と、前記パケット形式とされたロギングデータに装置識別ヘッダーと時間情報とを付加する手段と、本線信号中の冗長データを前記付加されたロギングデータに置き換える手段と、前記復調された本線信号中の前記置き換えられたロギングデータを抽出する手段と、前記抽出したロギングデータを記憶する手段と、前記抽出したロギングデータまたは前記記憶したロギングデータから装置識別ヘッダーと時間情報とを分離する手段と、前記分離したロギングデータと装置識別ヘッダーと時間情報とを表示する手段とを有し、ロギングデータを伝送信号と同じパケット形式とし、装置識別ヘッダーと時間情報とを付加し、本線信号中の冗長データと差し替えて伝送し、受信した本線信号中の前記置き換えられたロギングデータを抽出し、記憶し、前記抽出したロギングデータまたは前記記憶したロギングデータから装置識別ヘッダーと時間情報とを分離し、表示することを特徴とするデジタル伝送システム。
【発明の詳細な説明】
【技術分野】
【０００１】
本発明は、ＯＦＤＭ（Orthogonal  Frequency  Division  Multiplex）変調方式やシングルＱＡＭ（Quadrature  Amplitude  Modulation）変調方式のデジタル伝送装置に関わり、特に情報伝送技術に関する。
【背景技術】
【０００２】
放送局での一般的な移動中継では、受信点は小高い丘などに設け、搬送波の周波数が８００［ＭＨｚ］帯のＯＦＤＭ（Orthogonal  Frequency  Division  Multiplex）を用いて映像を伝送する。固定中継では、シングルＱＡＭ（Quadrature  Amplitude  Modulation）変調方式を用いて映像を伝送する。
ＭＰＥＧ（ Moving  Picture  Experts  Group）形式の圧縮符号化による映像の伝送においては、遅延プロファイルが異常の場合には、ＮＧ時画像フリーズが起き易いと考えられている。遅延プロファイル等の受信状態情報は受信点からセンタへ映像と共に伝送し、受信点とセンタの各々で、伝送状態のアラームとして検出している。
【０００３】
このように、近年では、伝送が不可能（ＮＧ）になるまでのマージン検知のために、受信波から抽出した遅延プロファイルを表示した判断することは、業界の常識となった。
しかし２００３年頃までは、例えば、小高い丘で得た映像をスタジオのある放送局本社等へ伝送する場合には、アナログ式のマイクロ回線で伝送された。そして、実際に伝送すべき放送映像を本線で送り、遅延プロファイルの表示画像を別の線で送る必要があり、２本のマイクロ回線で伝送しなければならない等の不便さがあった。
このため、ＯＦＤＭ等のデジタル伝送装置を用いて映像と共に遅延プロファイルの表示画像を多重して伝送するのが現在実施されている。
【０００４】
デジタル伝送装置の動作状態を監視する方法として、受信点での復調信号をモニター監視することによりエラーの発生の有無を把握する方法が挙げられる。あるいは、おおまかな動作状態を知るために、装置本体から出力するアラームや状態情報をインターネットなどの有線路や公衆回線を利用して伝送する方法を取っている。あるいは、発生した動作を詳細に知るために、装置内部のメモリーにロギングデータとして保存し、事後にＰＣなどのメンテナンス端末を用いてロギングデータを読み出す方式を取っている。
【０００５】
有線路や公衆回線を利用しての状態信号の伝送では、監視用の回線を設営する必要があり、無線の可搬装置の特徴である機動性を生かせない。また、設備の増大という問題が発生する。一般に、総合アラームなどとして出力しているのみであり、詳細な内容を把握できない。
【０００６】
メンテナンス端末によりロギングデータを読み出す方式では、設営場所まで行く必要があり、利便性が悪い。
【０００７】
また、リアルタイム監視でないことから、異常発生時に迅速な状況把握でできない。また、復調信号の動作とロギングデータの時間的な同期を取ることが困難である。
【先行技術文献】
【特許文献】
【０００８】
【特許文献１】特開２００９−１８８６０６号公報
【発明の開示】
【発明が解決しようとする課題】
【０００９】
本発明の目的は、デジタル伝送装置のロギングデータを読み出すリアルタイム性と詳細な監視を両立することにある。
【課題を解決するための手段】
【００１０】
上記の目的を達成するため、本発明のデジタル伝送装置は、本線信号をデジタル変調し送信する手段と、ロギングデータを伝送信号と同じパケット形式とする手段と、前記パケット形式とされたロギングデータに装置識別ヘッダーと時間情報とを付加する手段と、本線信号中の冗長データを前記付加されたロギングデータに置き換える手段とを有し、ロギングデータを伝送信号と同じパケット形式とし、装置識別ヘッダーと時間情報とを付加し、本線信号中の冗長データと差し替えて伝送することを特徴とするデジタル送信装置である。
【００１１】
また、本線信号を受信しデジタル復調する手段と、前記復調された本線信号中の前記置き換えられたロギングデータを抽出する手段と、前記抽出したロギングデータを記憶する手段と、前記抽出したロギングデータまたは前記記憶したロギングデータから装置識別ヘッダーと時間情報とを分離する手段と、前記分離したロギングデータと装置識別ヘッダーと時間情報とを表示する手段とを有し、受信した本線信号中の前記置き換えられたロギングデータを抽出し、記憶し、前記抽出したロギングデータまたは前記記憶したロギングデータから装置識別ヘッダーと時間情報とを分離し、表示することを特徴とするデジタル受信装置である。
【００１２】
また、本線信号をデジタル変調し送信し受信する手段と、ロギングデータ送信指令を受信する手段と、ロギングデータを伝送信号と同じパケット形式とする手段と、前記パケット形式とされたロギングデータに装置識別ヘッダーと時間情報とを付加する手段と、前記付加されたロギングデータを記憶しておく手段と、送信指令により本線信号中のデータを前記記憶しておいたロギングデータに置き換える手段を有し、ロギングデータを伝送信号と同じパケット形式とし、装置識別ヘッダーと時間情報とを付加し、記憶しておき、送信指令により本線信号中と差し替えて伝送することを特徴とするデジタル送信装置である。
【００１３】
本発明のデジタル伝送装置は、本線信号をデジタル変調し送信し受信する手段と、ロギングデータを伝送信号と同じパケット形式とする手段と、前記パケット形式とされたロギングデータに装置識別ヘッダーを付加する手段と、エラーが発生した本線信号中の冗長データを前記付加されたロギングデータに置き換える手段を有し、ロギングデータを伝送信号と同じパケット形式とし、装置識別ヘッダーと時間情報とを付加し、エラーが発生した本線信号中の冗長データと差し替えて伝送することを特徴とするデジタル送信装置である。
【００１４】
本線信号をデジタル変調し送信する手段と、本線信号を受信しデジタル復調する手段と、ロギングデータを伝送信号と同じパケット形式とする手段と、前記パケット形式とされたロギングデータに装置識別ヘッダーと時間情報とを付加する手段と、本線信号中の冗長データを前記付加されたロギングデータに置き換える手段と、前記復調された本線信号中の前記置き換えられたロギングデータを抽出する手段と、前記抽出したロギングデータを記憶する手段と、前記抽出したロギングデータまたは前記記憶したロギングデータから装置識別ヘッダーと時間情報とを分離する手段と、前記分離したロギングデータと装置識別ヘッダーと時間情報とを表示する手段とを有し、ロギングデータを伝送信号と同じパケット形式とし、装置識別ヘッダーと時間情報とを付加し、本線信号中の冗長データと差し替えて伝送し、受信した本線信号中の前記置き換えられたロギングデータを抽出し、記憶し、前記抽出したロギングデータまたは前記記憶したロギングデータから装置識別ヘッダーと時間情報とを分離し、表示することを特徴とするデジタル伝送システムである。
【発明の効果】
【００１５】
本発明に拠れば、デジタル伝送装置のロギングデータを読み出すリアルタイム性と詳細な監視を両立可能である。
【図面の簡単な説明】
【００１６】
【図１】本発明の伝送装置の一実施例のロギングデータ出力回路構成
【図２】本発明の伝送装置の一実施例のロギングデータ出力回路例
【図３】本発明の伝送装置の一実施例のパケット化回路例
【図４】本発明の伝送装置の一実施例のパケット構成例
【図５】本発明の伝送装置の一実施例のメモリーのアドレスマップ例
【発明を実施するための形態】
【実施例１】
【００１７】
以下、本発明の構成を図１により説明する。
装置内では発生したエラーなど動作状態の監視をしており、発生時の時間情報と合わせてロギングデータ化する。（回路１）
ロギングデータは装置で伝送可能な信号形式とするため、周期的に同期信号やヘッダーを付与しパケット構成とする。（回路２）
生成したロギングパケットを本線信号中で不要となる冗長データと置き換えることにより、本線信号に多重出力する。（回路３）
冗長データと置き換えるため、ロギングデータ生成の過程では冗長データの出現タイミングに合わせた処理が必要である。そのため、本線信号のパケットの先頭となる同期バイトの検出（回路５）および、置き換え可能な冗長データの検出（回路６）結果を元にロギングデータ生成処理のタイミング制御を行う。（回路４）
本線信号と生成したロギングパケットとの位相を合わせるため、本線信号は一時ラッチされる。（回路７）
【００１８】
本線信号へ多重することによるロギングデータのリアルタイム出力とは別に、任意のタイミングで送信指令を出すことにより、ロギングパケットを生成し、出力をすることが可能である。
本動作は本線信号の有無によらず、出力が可能であり、同期バイト検出、冗長データ検出によるタイミング制御は不要である。
通常、装置内部にはテスト信号を具備しており、一般に本線信号の伝送前にはテスト信号を用いた伝送テストを実施する。本テスト信号に代え、ロギングデータを使用することにより、メモリーに蓄積したデータを一括出力することが可能である。本方式では信号の冗長データ量に左右されずにデータを送信することが可能である。
【００１９】
図２によりロギングデータ出力回路の構成を説明する。
動作情報の収集、装置の時間情報はＣＰＵで管理し、情報を保存するメモリーの書き込み、読み出し処理についても同ＣＰＵで実施する。
装置内の時間情報は時、分、秒の計３バイト構成とし、時間情報３バイトと動作コード１バイトの合計４バイトで１ロギングデータとする。動作情報の記録は、４バイトを連続してＣＰＵからメモリーに書き込むこととする。
メモリーへの書き込み処理は、本線信号に関わらず動作情報の発生時に任意に実施すれば良い。
同様に、動作情報の読み出しも、書き込みと同じ４バイト単位で実施する。
【００２０】
図５に示すメモリーのアドレス、データの構成例のように、書き込み，読み出しをアドレス０から開始し、深さ４ｎ（ｎ：正の整数）バイトのメモリーの場合、データ単位の先頭アドレスは必ず４（ｎ−１）番地となる。
メモリーへのデータの書き込み、読み出しはアドレス指定によるため、４バイト単位の処理は容易である。
【００２１】
メモリーからの読み出しは、本線信号から検出した同期バイト、冗長データの出現により生成したタイミング信号に合わせて実施する。
タイミング信号との同期方法として、まず、タイミング信号によりパケット長を生成するパケット長カウンタを動作させる。例えば、２０４バイト長の本線信号では、同期バイトのタイミングでカウンタを初期化することにより、２０４カウントの巡回カウンタとなる。
同時に、冗長データの出現検出をすることにより、ロギングデータをメモリーから読出すための出力イネーブル信号を生成可能である。
【００２２】
図３によりパケット化回路の構成を説明する。
ロギングデータ出力回路と同様に、パケット長カウンタを使用する。カウンタ値を元にパケット中のロギングデータ多重位置が決まり、多重位置に合わせてパケットヘッダー、ロギングデータ、ダミーデータと切り替え出力することで、ロギングパケットを生成する。
【００２３】
次に、ロギングデータおよびロギングパケットの生成例を図４に示す。本生成パケットは、伝送信号のパケット長が２０４バイトのものである。
パケットヘッダーには、同期バイトのほか、パケット識別ヘッダーや、機器識別ＩＤなどが含まれる。
同期バイトは１６進数で「４７」（以下、記載が無い限りデータは１６進数で示します）を付与する。
同期バイトに続く２バイトは付加した信号を示す識別ヘッダーである。最初の３ビットはＴＳで使用するインジケータフラグであり、デフォルト値として、「０００（バイナリ）」とする。続く１３ビットはパケットのデータ内容を示すＩＤである。付加信号識別ヘッダーとして、本装置の伝送系で扱うＴＳ信号では本来使用しないパケットＩＤである「１ＦＦＥ」とする。本ＩＤのパケットは、デコーダでは冗長データとして無視されるため動作に影響は無い。
次にＴＳで使用するコントロール信号、あるいは巡回カウンタの１バイトがあり、仮に「１０」とする。
【００２４】
機器識別４バイトはデータを付加した装置を識別するためのもので、機器ＩＤや、製造番号など装置固有の値や、多段伝送時の中継番号などとする。例えば、装置のコールサイン「けいたい１５０」をＡＳＣＩＩコードを元に「０１５０」などとする。
パケットヘッダーに続くデータペイロード部がロギングデータ領域となる。先頭から時間情報＋動作コードの４バイトをロギングデータの構成単位とし、メモリーから読み出したデータを順次書き込んでいく。例えば、動作情報としてエンコード異常が発生した場合、異常の内容を示す動作コードを「０４」で表すとする。また、異常の発生した時刻をＢＣＤコード（Binary  Coded  Decimal）で表した場合、２４時３５分５９秒の２４時は「２４３５５９」となる。従って、ロギングデータは４バイトの「２４３５５９０４」と表される。
最後に誤り訂正符号を考慮して、ダミー領域を１６バイト確保している。
【００２５】
本パケット構成により、時間情報を伴ったロギングデータを１パケットにつき４５データ伝送可能となる。
【００２６】
ロギングデータは伝送信号と同じパケット形式とし、本線信号中に存在する冗長データと同等であるがユニークな識別ヘッダーを持たせる。冗長データはデコード処理で無視されるものである。
ロギングデータは本線信号中の冗長データと置き換えることにより、本線信号に重畳して伝送する。
【００２７】
また、多段伝送時に経由する複数の装置を同時に監視するため、ロギングデータには装置識別のための識別コードを付与する。
本線信号とロギングデータの相関を取ることを可能とするため、各ロギングデータには装置が持っている時間情報を同時に記録することとする。
【００２８】
運用中の監視では、動作状態を本線信号に直接重畳することが有効であるが、伝送する信号によっては冗長データがほとんど存在しないことがある。このため、本線信号の伝送とは別に、送信指令によりロギングデータのみを纏めてテスト信号として出力することを可能とする。
【００２９】
本発明により、設備の増加を伴わず、リアルタイム性と詳細な監視を両立したロギングデータの伝送が可能である。
本線信号に重畳しての伝送、および、本線信号とは別にロギングデータのみの一括伝送が可能である。
【符号の説明】
【００３０】
１： ロギングデータ生成部
２： パケット生成部
３： データ出力部
４： データ出力タイミング制御部
５： 同期バイト検出部
６： 冗長データ検出部
７： ラッチ
８： 送信指令
１１：ＣＰＵ
１２：メモリー
１３：ロギングデータ
２１：切替器
２２： ヘッダー
２３： ダミーデータ
４１： データ出力タイミング制御
４２： パケット長カウンタ
【図１】
2011223379.tif 000003
【図２】
2011223379.tif 000004
【図３】
2011223379.tif 000005
【図４】
2011223379.tif 000006
【図５】
2011223379.tif 000007